(57)【要約】【課題】使用しない時又は筆記する時に連結可能なマーカーを提供する。【解決手段】キャップ３に、本体２先端側の連結部の他に本体２後端側と連結可能な連結部３３を設け、さらに本体２後端側にもキャップ３との連結部２４を設けることによって、本体２後端側の連結部にキャップ３の一方端を、あるいは他端を選択自在に連結させることができるようにし、キャップ３の２つの連結部のいずれか一方を本体２後端側の連結部２４に連結させた状態において、キャップ３のもう一方の連結部に本体先端側を、あるいは本体後端側を選択的に連結させることができるようにしている。【選択図】図１
2004122508.tif 000002
【特許請求の範囲】
【請求項１】
筆記用のインクを含浸させた綿体を内包し筆記の際に把持される本体と、本体先端にある筆記体からインクが揮発しないように、本体先端側に連結されるキャップを備えたマーカーにおいて、キャップ両端と本体後端側にも連結部を設けたことを特徴とするマーカー。
【請求項２】
キャップには、筆記体からインクが揮発しないように本体先端側に連結させるための連結部と、他端に本体後端側に連結させることができる連結部とを備えていることを特徴とする請求項１記載のマーカー。
【請求項３】
キャップ両端にある連結部と、本体先端側のキャップ連結部及び同後端側のキャップ連結部は、同径であることを特徴とする請求項１〜２記載のマーカー。
【請求項４】
キャップ両端いずれも選択自在に本体後端側に連結することができ、さらに、本体後端側にキャップが連結された状態において、キャップのもう一方の連結部に本体先端側を、あるいは本体後端側を選択的に連結させることができる請求項１〜３記載のマーカー。
【発明の詳細な説明】
【０００１】
【発明の属する技術分野】
本発明は、主としてホワイトボードへの筆記に用いられるマーカーに関するものである。
【０００２】
【従来の技術】
筆記用のインクを含浸させた綿体を内包し筆記の際に把持される本体と、本体先端にある筆記体からインクが揮発しないように、本体先端側に連結されるキャップとが一対の組合せで使用されるマーカーが主流を占めている。筆記具本体の後端側に凹状の連結部を設け、その連結部へ次の筆記具本体を先端側から連結する構造を設けて、この要領で次々と本体同士を連結していくことが可能なものが知られている（特許文献１参照。）。さらに、カップリング部材を用いて、２本の筆記具後端同士をそれらのキャップと合わせて結合できるものが知られている（特許文献２参照。）。
【０００３】
【特許文献１】
特開平８−１８３２９０号公報
【特許文献２】
特許第２５０３１９６号公報
【０００４】
【発明が解決しようとする課題】
会議やプレゼンテーションの場でホワイトボードを利用する際、ホワイトボードに書いた文字を分かり易くするために、あるいは印象づけるために何色ものマーカーが用いられている。しかしながら、このような本体とキャップが一対の組合せでしか使用できないものであれば、ホワイトボードにはマーカー収納がないため、ホワイトボードトレー上には何色ものマーカーが乱雑に置かれ、見た目に心地良くないものであった。
【０００５】
また、会議やプレゼンテーションの最中に、乱雑に置かれたマーカーから使いたい色を瞬時に識別することは大変難しいものであった。
【０００６】
本発明の目的は、上述した不具合を解消するためにキャップの両端にマーカー本体の先端部、あるいは後端部を選択的に連結させることができる構造を設けることによって、マーカーを次々と連ねてホワイトボードトレー上に整理でき、さらには頻繁に使用する色を２色連結し、１本のマーカーとして使用可能な使い勝手の良いマーカーを提供することにある。
【０００７】
【課題を解決するための手段】
前述した目的を達成するために、本発明のマーカーは、筆記用のインクを含浸させた綿体を内包し筆記の際に把持される本体と、本体先端にある筆記体からインクが揮発しないように、本体先端側に連結されるキャップを備えたマーカーにおいて、キャップには、上記本体先端側の連結部の他に本体後端側と連結可能な連結部を設けると共に、本体後端側にも上記キャップとの連結部を設け、さらには、キャップ両端の連結部と、本体先端側のキャップ連結部及び同後端側のキャップ連結部を同径にすることにより、本体後端側の連結部にキャップの一方端をあるいは他端を選択自在に連結させることができるようにしている。さらに、キャップのいずれかの連結部を本体後端部に連結させた状態において、キャップのもう一方の連結部に本体先端側を、あるいは本体後端側を選択的に連結させることができるようにしている。
【０００８】
このようにすれば、キャップを連結部材として用いることができ、キャップを介して筆記体が同じ向きになるように次々と本体を連結させ、何本ものマーカーを整然と並べることができる。さらに２本のマーカーを後端側からキャップに連結させることにより、２色のマーカーを１本のマーカーとして利用することも可能となる。
【０００９】
【発明の実施の形態】
以下、本発明の第１の実施形態を、図１〜５を参照して説明する。
【００１０】
この実施形態のマーカー１は、図１に示すように筆記用のインクを含浸させた綿体を内包し筆記の際に把持される本体２と、本体先端にある筆記体２１からインクが揮発しないように、本体先端側に連結されるキャップ３から構成され、主としてこれらは樹脂成型品が用いられる。なお、本体内部には上述した筆記用のインクを含浸させた綿体が具備されているが、本発明の要部ではないため図面には開示していない。
【００１１】
本体２は、図２に示すように、ホワイトボードや紙などの被筆記物へ圧接することにより、内包している綿体に含浸させている筆記用インクを被筆記物に浸透させるための媒体となる筆記体２１と、その筆記体２１を固定するための筆記体固定部２２と、本体前端側に、本体軸方向に直角となる面よりやや小さく、本体２からほぼ円柱状をなすように膨出させ、さらに筆記体固定部２２と連接されたキャップ２を連結するための連結部２３と、本体後端側にキャップ３を連結するための、本体軸方向に直角となる面よりやや小径でほぼ円柱状をなす連結部２４とを備えている。
【００１２】
連結部２４は、ここでは詳しく図面に開示しないが、本体とは一体成型せず、別部材とした場合、前記筆記用のインクを含浸させた綿体を、本体後端部より本体内部に挿入した後の栓として用いることができる。
【００１３】
さらに、本体２は、図４に示す使用例において、連結方向にスペースを取らないように、また図５に示す使用例おいて、本体バランスを大きく崩さずに筆記できるように、つまりは筆記し易いように本体先端と後端との距離を短くし、本体中央部近傍を膨出させた樽形状を採ることが望ましい。樽形状を採ることで本体内にストックする筆記用インクを、短かくしなかった形状に対して、同量以上ストックできる本体容積を確保することができる。
【００１４】
キャップ３の一方端には、図３に示すように、本体先端近傍にある連結部２３に連結される円筒状の連結部３１と、本体先端にある筆記体からインクが揮発しないように、上記連結部３１に連接し筆記体固定部２２と連結するほぼ円筒形をなした連結部３２が備えられていて、他端には本体後端側にある連結部２４に連結される凹状の連結部３３が備えられている。また、キャップ３側の連結部３１と連結部３３及び本体後端側の連結部２４は同径となっており、さらには、キャップ連結部３１、同連結部３３の凹部の深さと本体後端側にある連結部２４の高さはほぼ同じとなっている。
【００１５】
加えて、本体２とキャップ３とを図１の状態で連結させた時に、筆記体２１が傷まないよう、図３に示すように、ほぼ円筒形をなす連結部３２の先に、筆記体を２１を収納するための空洞部３４を設けている。
【００１６】
さらに、キャップ３は、図３に示すように、軸方向に対して直角となる両端面を同径とし、中央部をそれらより絞り込んだ形状にすることで、キャップ３を本体２との連結状態から解く時に握り易くしていると共に、キャップ３の両端面と本体２の先端側及び後端側の面を同径に設けている。
【００１７】
以上のような構成を採ることによって、キャップ３に備えられた２つの連結部３１、３３を、選択自在に本体後端部にある連結部２４に連結させることができ、また、無駄な力をいれずに本体からキャップをはずせるようにしている。
【００１８】
さらに、キャップ３に備えられた２つの連結部３１、３３の内、３１を本体先端近傍の連結部２３に連結させ、さらに本体１ａを後端側よりキャップ３側の連結部３３に連結した場合は、図４に示すように、キャップ３が連結部材となってマーカー１の先端側にマーカー１ａを連結させることができる。図４では２本のマーカーの連結例であるが、図面に開示していないが上述した要領で、マーカー１ａの前部にさらに他のマーカーを次々に連結していくことができる。また、同連結部３１を本体後端側の連結部２４に連結させた場合は、図５に示すように、キャップ３が連結部材となって本体２の後端側にキャップ３を介して本体２ａを後端側より連結させることができ、例えば、本体１に黒インクのものを、本体１ａに赤インクのものを選択した場合、２色のマーカーを１本のマーカーとして利用することができる。
【００１９】
次に、本発明の第２の実施形態を図６〜８を参照して説明する。
【００２０】
この実施形態のマーカー１０は、図に示すように筆記用のインクを含浸させた綿体を内包し筆記の際に把持される本体２０と、本体先端にある筆記体２０１からインクが揮発しないように、本体先端側に連結されるキャップ３０から構成され、主としてこれらは樹脂成型品が用いられる。なお、本体内部には上述した筆記用のインクを含浸させた綿体が具備されているが、本発明の要部ではないため第１の実施形態と同様に図面には開示していない。
【００２１】
本体２０は、図７に示すように、ホワイトボードや紙などの被筆記物へ圧接することにより、内包している綿体に含浸させている筆記用インクを被筆記物に浸透させるための媒体となる筆記体２０１と、その筆記体２０１を固定するための筆記体固定部２０２と、本体前端側に、本体軸方向に直角となる面よりやや小さく、本体２０からほぼ円柱状をなすように膨出させ、さらに筆記体固定部２０２と連接されたキャップを連結するための連結部２０３と、本体後端側にキャップ３０を連結するための、本体軸方向に直角となる面よりやや小径でほぼ円柱状をなす連結部２０４とを備えている。
【００２２】
さらに、本体２０は、第１の実施例の図４に示す使用例において、連結方向にスペースを取らないように、また同図５に示す使用例おいて、本体バランスを大きく崩さずに筆記できるように、つまりは筆記し易いように本体先端と後端との距離を短くし、本体中央部近傍を膨出させた樽形状を採ることが望ましい。樽形状を採ることで本体内にストックする筆記用インクを、短かくしなかった形状に対して、同量以上ストックできる本体容積を確保することができる。
【００２３】
キャップ３０の一方端には、図８に示すように、本体先端近傍にある連結部２０３に連結される円筒状の連結部３０１と、本体先端にある筆記体からインクが揮発しないように、上記連結部３０１に連接し筆記体固定部２０２と連結するほぼ円筒形をなした連結部３０２が備えらており、他端には本体後端側にある連結部２０４に連結されるよう凹状の連結部３０３が備えられている。また、キャップ３０側の連結部３０１と同連結部３０３及び本体後端側の連結部２０４は同径となっており、さらには、キャップ連結部３０１、同連結部３０３の高さと本体後端側にある連結部２０４の凹部の深さはほぼ同じとなっている。
【００２４】
加えて、本体２０とキャップ３０とを第一の実施例図６の状態で連結させた時に、筆記体２０１が傷まないよう、図８に示すように、ほぼ円筒形をなす連結部３０２の先に、筆記体２０１を収納するための空洞部３０４を設けている。
【００２５】
さらに、キャップ３０は、図８に示すように、軸方向に対して直角となる両端面を同径とし、中央部をそれらより絞り込んだ形状にすることで、キャップ３０を本体２０との連結状態から解く時に握り易くしていると共に、キャップ３０の両端面と本体２０の先端側及び後端側の面を同径に設けている。
【００２６】
以上のような構成を採ることによって、キャップ３０に備えられた２つの連結部３０１、３０３を、選択自在に本体後端部にある連結部２０４に連結させることができ、また、無駄な力をいれずに本体からキャップをはずせるようにしている。
【００２７】
さらに、キャップ３０に備えられた２つの連結部３０１、３０３の内、３０１を本体前端連結部２０３に連結させた、さらに本体１０ａを後端側よりキャップ３０側の連結部３０３に連結した場合は、第１の実施例図４と同様に、キャップ３０が連結部材となってマーカー１０の前端側にマーカー１０ａを連結させることができる。同図４では２本のマーカーの連結例であるが、図面に開示していないが上述した要領で、マーカー１０ａの前部にさらに他のマーカーを次々に連結していくことができる。また、同連結部３０１を本体後端側の連結部２０４に連結させた場合は、同図５と同様に、キャップ３０が連結部材となって本体２０の後端側にキャップ３０を介して本体２０ａを後端側より連結させることができ、本体２０に黒インクのものを、本体２０ａに赤インクのものを選択した場合、２色のマーカーを１本のマーカーとして利用することができる。
【００２８】
【発明の効果】
本発明は、以上説明した構成であるから、キャップを連結部材として用いることができ、キャップを介して次々と本体を連結させ、何本ものマーカーをホワイトボードトレー上に整然と載置することが可能となる。また、同様にキャップを介して、２本のマーカーの後端部同士をキャップに連結させることもできるので、２色のマーカーを一本のマーカーとして利用することも可能となり、使用頻度の高い色を２色づつ組合せることによって、ホワイトボードへの筆記効率を各段に向上させることができる。加えて、本体から取り外したキャップの向きを気にせずに本体後端部へ連結することができる。
【図面の簡単な説明】
【図１】本発明の第１の実施形態を示す斜視図
【図２】マーカー本体平面図
【図３】キャップ断面図
【図４】本発明の第一の使用例を示す斜視図
【図５】本発明の第二の使用例を示す斜視図
【図６】本発明の第二の実施形態を示す斜視図
【図７】本発明の第二の実施形態のマーカー本体平面図
【図８】本発明の第二の実施形態のキャップ断面図
【符号の説明】
１、１０…　マーカー
１ａ、１０ａ…　マーカー
２、２０…　本体
３、３０…　キャップ
２１、２０１…　筆記体
２２、２０２…　筆記体固定部
２３、２０３…　本体先端連結部
２４、２０４…　本体後端連結部
３１、３０１…　キャップ連結部
３２、３０２…　筆記体固定部との連結部
３３、３０３…　キャップ連結部
３４、３０４…　筆記体収納部
【図１】
2004122508.tif 000003
【図２】
2004122508.tif 000004
【図３】
2004122508.tif 000005
【図４】
2004122508.tif 000006
【図５】
2004122508.tif 000007
【図６】
2004122508.tif 000008
【図７】
2004122508.tif 000009
【図８】
2004122508.tif 000010